(57)【要約】【課題】  携帯機器の殺菌を効果的に行うこと。【解決手段】  携帯電話端末装置１は、装置本体と表示装置とが回動可能に設けられた折畳式の携帯電話端末装置であり、紫外線を出力する発光ダイオード５５ａ，５５ｂを装置本体及び表示装置に有する。表示装置の発光ダイオードは、各種操作キーを有する装置本体の表面に紫外線を照射する。具体的に、この装置１では、ディスプレイ５７を保護する筐体に設けられた透明なカバー体を通じ、筐体内部から装置本体の表面に向けて紫外線を出力するので、紫外線の照射範囲が広く、汚れやすい操作キー周辺を効果的に殺菌することができる。また、携帯電話端末装置１が折り畳まれた状態に移行してから所定時間のみ、紫外線出力部５５を動作させるので、利用者の目に優しく、又、携帯電話端末装置１のバッテリを浪費せずに、必要十分に紫外線を照射することができる。【選択図】  図４
2006157381.tif 000002
【特許請求の範囲】
【請求項１】
利用者が操作可能な操作部を、表面に有する装置本体と、
各種情報を表示するための表示装置と、
からなり、前記表示装置が、前記装置本体に対して回動可能、且つ、前記装置本体の表面に対向可能に設けられた折畳式の携帯機器であって、
折畳時に前記表示装置に対向する装置本体の表面に、紫外線を照射する発光手段を、前記表示装置に備えることを特徴とする携帯機器。
【請求項２】
前記表示装置は、各種情報を表示するための電気的装置を収容する筐体が、折畳時に前記装置本体の表面に対向する前記電気的装置の表示面に対応する位置に透明なカバー体を有する構成にされたものであり、
前記発光手段は、前記カバー体を通じて、前記筐体内部から、前記装置本体の表面に紫外線を照射する構成にされていることを特徴とする請求項１記載の携帯機器。
【請求項３】
利用者が操作可能な操作部を、表面に有する装置本体と、
各種情報を表示するための表示装置と、
からなり、前記表示装置が、前記装置本体に対して回動可能、且つ、前記装置本体の表面に対向可能に設けられた折畳式の携帯機器であって、
折畳時に前記装置本体に対向する表示装置の表面に、紫外線を照射する発光手段を、前記装置本体に備えることを特徴とする携帯機器。
【請求項４】
前記操作部は、透明又は半透明な部材で形成された操作キーの一群からなり、
前記発光手段は、前記操作キーに紫外線を入力して、前記操作キーの表面から前記紫外線を、前記表示装置の表面に照射する構成にされていることを特徴とする請求項３記載の携帯機器。
【請求項５】
前記表示装置が前記装置本体の表面に対向されて、当該携帯機器が折り畳まれた状態であるか否かを判断する状態判断手段と、
前記状態判断手段により、当該携帯機器が折り畳まれた状態であると判断されると、所定期間、前記発光手段を動作させ、前記発光手段に紫外線を照射させる制御手段と、
を備えることを特徴とする請求項１〜請求項４のいずれかに記載の携帯機器。
【請求項６】
前記状態判断手段の判断結果に基づき、当該携帯機器が折り畳まれていない期間には、前記発光手段の動作を禁止する動作禁止手段、を備えることを特徴とする請求項１〜請求項５のいずれかに記載の携帯機器。
【請求項７】
前記発光手段によって紫外線が照射される前記表示装置又は前記装置本体の表面には、光触媒が塗布されていることを特徴とする請求項１〜請求項６に記載の携帯機器。
【請求項８】
前記表示装置が前記装置本体の表面に対向された状態で、前記表示装置と前記装置本体の表面との間に形成される空隙を、周囲から包囲する包囲部を、前記表示装置及び前記装置本体の少なくとも一方に備えることを特徴とする請求項１〜請求項７のいずれかに記載の携帯機器。
【発明の詳細な説明】
【技術分野】
【０００１】
本発明は、表示装置が、装置本体の表面に対向可能に設けられた折畳式の携帯機器に関する。
【背景技術】
【０００２】
従来より、表示装置が装置本体の表面に対向可能に設けられた折畳式の携帯機器としては、装置本体に対して表示装置が回動可能に設けられた折畳式の携帯電話端末装置が知られている。
【０００３】
この種の携帯機器については、利用者が外出先で使用することも多く、筐体表面が汚れやすい。従って、従来では、携帯機器に、表示部を清掃するためのクリーニング機構を設けたりしている（特許文献１参照）。
【特許文献１】特開２００４−３１２１４３号公報
【発明の開示】
【発明が解決しようとする課題】
【０００４】
しかしながら、特許文献１記載の携帯機器は、クリーニング機構部が携帯機器の表示部に対して摺動可能に設けられている程度のものであるため、表示部の汚れを除去し、視覚的に表示部を綺麗にすることはできても、殺菌等を行うことはできない。また、上述した携帯機器では、表示部の汚れを除去することはできても、操作部等を綺麗にすることはできない。
【０００５】
尚、筐体に光触媒を塗布すれば、筐体に付着した雑菌を除去することができるが、光触媒が殺菌効果を発揮するのは、強い紫外線が光触媒に照射された場合であるので、利用者が室内で携帯機器を使用する場合などには、光触媒が有効に働かず、殺菌効果が十分に発揮されない。
【０００６】
本発明は、こうした問題に鑑みなされたものであり、携帯機器の殺菌を効果的に行うことが可能な技術を提供することを目的とする。
【課題を解決するための手段】
【０００７】
かかる目的を達成するためになされた請求項１記載の発明は、利用者が操作可能な操作部を、表面に有する装置本体と、各種情報を表示するための表示装置と、からなり、表示装置が、装置本体に対して回動可能、且つ、装置本体の表面に対向可能に設けられた折畳式の携帯機器であって、折畳時に表示装置に対向する装置本体の表面に、紫外線を照射する発光手段を、表示装置に備えることを特徴とする。
【０００８】
この携帯機器によれば、紫外線を発光する発光手段が、操作部を有する装置本体の表面に、紫外線を照射するので、操作部を殺菌することができる。操作部は、利用者が操作する部位で有り、汚れが付き易く、又、折畳時に（即ち、携帯機器が折り畳まれた状態の時に）、装置本体の表面に表示装置が対向して、外光が照射されにくくなる部位であるので、本発明によれば、携帯機器における菌が繁殖しやすい操作部を効果的に殺菌することができる。
【０００９】
ところで、上記の携帯機器では、表示装置の筐体表面に、透明な部材で、紫外線を出力するための窓を形成し、その窓より筐体内側に発光体を取り付けることで、発光体から出力される紫外線を、装置本体の表面に照射することができるが、紫外線専用の窓を、表示装置の筐体表面に形成すると、携帯機器の外見が悪くなる可能性があり、又、窓形成のために、製品の製造コストが高くなる可能性がある。
【００１０】
従って、上記の携帯機器においては、各種情報を表示するための表示面に設けられた表示装置の窓を通じて、紫外線を出力するとよい。
請求項２記載の携帯機器が有する表示装置は、各種情報を表示するための電気的装置を収容する筐体が、折畳時に装置本体の表面に対向する電気的装置の表示面に対応する位置に透明なカバー体を有する構成にされたものであり、発光手段は、カバー体を通じて、筐体内部から、装置本体の表面に紫外線を照射する。
【００１１】
この携帯機器によれば、各種情報を表示するために設けられた透明なカバー体（窓）を通じて、筐体内部から紫外線を出力し、装置本体の表面に紫外線を照射するので、紫外線専用の窓を、表示装置に形成する必要がない。また、表示装置における表示面は、折畳時に操作部に略対向するように設けられるのが通常であるので、この発明によれば、操作部を効果的に殺菌することができる。その他、透明なカバー体から紫外線を出力するため、操作部と同時に、カバー体表面（即ち、各種情報が表示される窓表面）についても効果的に殺菌することができる。
【００１２】
また、表示装置を効果的に殺菌するためには、請求項３記載のように携帯機器を構成してもよい。請求項３記載の発明は、利用者が操作可能な操作部を、表面に有する装置本体と、各種情報を表示するための表示装置と、からなり、表示装置が、装置本体に対して回動可能、且つ、装置本体の表面に対向可能に設けられた折畳式の携帯機器であって、折畳時に装置本体に対向する表示装置の表面に、紫外線を照射する発光手段を、装置本体に備えることを特徴とする。
【００１３】
表示装置の表面は、折畳時に（即ち、携帯機器が折り畳まれた状態の時に）、装置本体の表面に対向して、外光が照射されにくくなる部位であるので、菌が繁殖しやすいが、この携帯機器によれば、紫外線を発光する発光手段が、表示装置の表面に、紫外線を照射するので、菌が繁殖しやすい表示装置の表面を、効果的に殺菌することができる。特に、表示装置が、装置本体に対向する表面に、各種情報を表示する構成にされている場合には、利用者の目につきやすい部位を、殺菌することができて、有用である。
【００１４】
また、発光手段を装置本体に設ける場合には、請求項４記載のように、携帯機器を構成するとよい。請求項４記載の携帯機器は、操作部として、透明又は半透明な部材で形成された操作キーの一群を有し、発光手段が、操作キーに紫外線を入力して、操作キーの表面から紫外線を、表示装置の表面に照射する構成にされたものである。
【００１５】
請求項４記載の携帯機器によれば、操作キーを通じて、紫外線を、表示装置の表面に照射するので、表示装置の表面を殺菌することができる他、利用者の皮脂等の汚れがつきやすい操作部も殺菌することができる。従って、本発明によれば、携帯機器の殺菌を効果的に行うことができる。
【００１６】
また、上記の携帯機器は、折り畳まれた状態に移行してから、所定期間、発光手段を動作させる構成にされるとよい。
請求項５記載の携帯機器は、表示装置が装置本体の表面に対向されて、当該携帯機器が折り畳まれた状態であるか否かを判断する状態判断手段と、状態判断手段により、当該携帯機器が折り畳まれた状態であると判断されると、所定期間、発光手段を動作させ、発光手段に紫外線を照射させる制御手段と、を備えるものである。
【００１７】
この発明によれば、状態判断手段により携帯機器が折り畳まれた状態であると判断されてから、発光手段を動作させるように、発光手段の動作を制御するので、利用者による明示的な指令をまつことなく、携帯機器の未使用時に、その携帯機器を殺菌することができる。また、所定期間に限定して発光手段を動作させれば、携帯機器が折り畳まれている期間、継続して発光手段を動作させる場合よりも、バッテリを浪費しなくて済む。尚、上記所定期間としては、紫外線の照射対象を必要十分に殺菌することができる時間を設定すればよい。必要以上に紫外線の照射期間を長くしても、殺菌効果が飽和した状態で、バッテリを浪費するだけであるので、所定期間に限定して発光手段を動作させることは、非常に有効である。
【００１８】
その他、紫外線については、殺菌効果といった有用な効果をもたらす一方で、人の目には悪影響を及ぼす可能性があるので、携帯機器が折り畳まれていない期間には、発光手段の動作を禁止し、紫外線が利用者の目に入らないようにするとよい。
【００１９】
請求項６記載の携帯機器は、状態判断手段の判断結果に基づき、当該携帯機器が折り畳まれていない期間には、発光手段の動作を禁止する動作禁止手段、を備えることを特徴とするものである。この携帯機器によれば、当該携帯機器が折り畳まれていない期間、発光手段が動作しないので、紫外線が利用者の目に入らないようにすることができる。
【００２０】
また、紫外線による殺菌効果を十分に発揮させるためには、光触媒を携帯機器の表面に塗布するのがよい。
請求項７記載の携帯機器は、発光手段によって紫外線が照射される表示装置又は装置本体の表面に、光触媒が塗布されていることを特徴とするものである。この発明によれば、発光手段による紫外線の照射領域を、効果的に殺菌することができる。
【００２１】
また、装置本体から表示装置に対して紫外線を照射する場合、表示装置から装置本体に対して紫外線を照射する場合には、携帯機器が折り畳まれて、表示装置と装置本体とが対向した際、表示装置と装置本体との間に、ある程度のクリアランスがあると、紫外線の照射範囲が広がって好ましい。
【００２２】
しかしながら、この場合には、クリアランスが広がる程、表示装置と装置本体との間に形成される空隙から外部に、紫外線が漏洩しやすくなるので、上記携帯機器には、表示装置と装置本体の表面との間に形成される空隙を周囲から包囲する包囲部を設けるとよい。
【００２３】
請求項８記載の携帯機器は、表示装置が装置本体の表面に対向された状態で、表示装置と装置本体の表面との間に形成される空隙を、周囲から包囲する包囲部を、表示装置及び装置本体の少なくとも一方に備えることを特徴とするものである。この携帯機器によれば、表示装置と装置本体の表面との間に形成される空隙が包囲部にて包囲されるので、表示装置又は装置本体の表面に照射された紫外線が反射し、空隙から外部に漏洩するのを、抑えることができる。従って、この発明によれば、効果的に、携帯機器を殺菌することができる。
【発明を実施するための最良の形態】
【００２４】
以下、本発明の実施例について、図面と共に説明する。図１は、本発明が適用された携帯電話端末装置１の構成を表す説明図であり、図１（ａ）は、非折り畳み状態での携帯電話端末装置１の構成を表す斜視図、図１（ｂ）は、折り畳み状態での携帯電話端末装置１の構成を表す側面図、図１（ｃ）は、携帯電話端末装置１のＸ−Ｘ’断面図である。但し、図１（ｃ）では、内部の構造を省略して表す。
【００２５】
その他、図２は、装置本体１０の筐体１１及び表示装置３０の筐体３１に埋め込まれた発光ダイオード（ＬＥＤ）５５ａの周囲の構成を表す断面図であり、図３は、携帯電話端末装置１において、各種情報が表示される部位（カバー体３１ａ）周囲の構成を表す斜視図である。また、図４は、携帯電話端末装置１の電気的構成を表すブロック図である。
【００２６】
図１に示す本実施例の携帯電話端末装置１は、折畳式の携帯電話端末装置であり、利用者が操作可能な操作部５１を有する装置本体１０と、表示装置３０とを備え、表示装置３０が、装置本体１０に対して軸Ｃを中心に、回動可能に接続された構成にされている。この携帯電話端末装置１では、折畳時（即ち、携帯電話端末装置１が折り畳まれた状態の際）に、装置本体１０の表面と、表示装置３０の表面とが互いに対向配置される。
【００２７】
装置本体１０は、操作部５１、及び、マイクロフォン５３、並びに、紫外線を出力可能な複数の発光ダイオード（ＬＥＤ）５５ａを備えると共に、装置本体１０の表面（筐体１１の表面）に、装置本体１０の外縁に沿って、突条１３を備える。
【００２８】
操作部５１は、各種操作キー５１ａと、操作キー５１ａを利用者が押下したことを検知し、操作情報を制御部６５に入力する電気的装置（図示せず）と、からなり、各操作キー５１ａは、夫々、透明な部材（樹脂等）にて板状に形成され、装置本体１０の表面（筐体１１の表面）に露出された状態で、筐体１１内に設けられている。具体的に、本実施例の操作キー５１ａは、その底面部に、操作キー５１ａの種類を表す文字が、操作キー５１ａの底面と対向する表面から視認可能に形成されている。また、操作キー５１ａの表面を含めて、装置本体１０の表面には、光触媒が塗布されている。
【００２９】
一方、マイクロフォン５３は、装置本体１０の筐体１１に設けられた集音用の孔部１５を閉塞するようにして、装置本体１０の筐体１１内に設けられ、利用者の声を集音する構成にされている。また、発光ダイオード５５ａは、図２に示すように、装置本体１０の筐体１１に埋め込まれ、折畳時に、装置本体１０の表面から、対向する表示装置３０の表面に、紫外線を照射可能に配置されている。
【００３０】
また、携帯電話端末装置１は、表示装置３０においても、紫外線を出力可能な発光ダイオード５５ａを備える。表示装置３０において、上記発光ダイオード５５ａは、表示装置３０の筐体３１に埋め込まれ、折畳時に、表示装置３０の表面から、対向する装置本体１０の表面に、紫外線を照射可能に配置されている。
【００３１】
この表示装置３０は、筐体３１に埋め込まれた発光ダイオード５５ａの他、筐体３１内に、各種情報を表示可能な電気的装置としてのディスプレイ５７を、その表示面が折畳時に装置本体１０に対向するように有し、ディスプレイ５７の表示面に対向する筐体３１の一部に、ディスプレイ５７の表示面から出力される光を外部に導くと共に、ディスプレイ５７の表示面を外部から保護するための透明なカバー体３１ａを備える（図３参照）。
【００３２】
カバー体３１ａは、透明な部材（樹脂等）で形成されており、端部に、紫外線を出力可能な発光ダイオード５５ｂを複数備える。この発光ダイオード５５ｂは、紫外線をカバー体３１ａ内に入力する。これにより、カバー体３１ａ表面からは、外部に紫外線が出力され、その紫外線は、携帯電話端末装置１の折畳時に、対向する装置本体１０の表面に照射される。尚、このカバー体３１ａの表面を含めて、表示装置３０の表面には、光触媒が塗布されている。
【００３３】
また、表示装置３０は、スピーカ５９を有し、スピーカ５９は、表示装置３０の筐体３１に設けられた音出力用の孔部３３を閉塞するようにして、表示装置３０の筐体３１内に設けられている。その他、表示装置３０は、装置本体１０に対向する筐体３１表面に、表示装置３０の外縁に沿って、突条３５を備える。
【００３４】
具体的に、表示装置３０の突条３５は、装置本体１０に設けられた突条１３よりも、若干、表示装置３０の中心寄りに形成されている。即ち、装置本体１０に設けられた突条１３は、表示装置３０が装置本体１０の表面に対向された状態で（即ち、携帯電話端末装置１が折り畳まれた状態で）、表示装置３０の表面と、それに対向する装置本体１０の表面との間に形成される空隙を、周囲から包囲するように構成にされている。
【００３５】
その他、本実施例の携帯電話端末装置１は、電気的装置として、セルラー網を通じて外部の電話端末装置と音声通信又はデータ通信可能な通信部６１と、携帯電話端末装置１の開閉状態、即ち、携帯電話端末装置１の非折り畳み状態／折り畳み状態を検知するセンサ６３と、上述した発光ダイオード５５ａ，５５ｂ及びその駆動回路からなる紫外線出力部５５と、携帯電話端末装置１の各部を統括制御する制御部６５と、を装置本体１０の筐体１１内若しくは表示装置３０の筐体１３内に備える。
【００３６】
制御部６５は、マイクロコンピュータ等から構成され、各種プログラムを実行することにより音声通信機能やデータ通信機能等を実現する。例えば、制御部６５は、操作部５１を通じて電話番号が入力されると、通信部６１を通じて、電話番号先の電話端末装置を呼び出し、電話番号先の電話端末装置が応答して、その電話端末装置が携帯電話端末装置１と通信可能に接続されると、接続先の電話端末装置から送信されてくる音声信号を、スピーカ５９に入力して、スピーカ５９に音声を再生させると共に、マイクロフォン５３から入力される音声信号を、接続先の電話端末装置に送信して、音声通信機能を実現する。
【００３７】
その他、制御部６５は、操作部５１を通じて電話番号が入力された際、ディスプレイ５７を制御して、その電話番号をディスプレイ５７に表示させ、着信があった場合には、ディスプレイ５７を制御し、着信番号をディスプレイ５７に表示させる。
【００３８】
また、制御部６５は、電源投入直後から、図５に示す紫外線発光制御処理を繰返し実行して、紫外線出力部５５をオン／オフ制御し、センサ６３からの入力信号に基づいて、携帯電話端末装置１が折り畳まれた直後から所定時間Ｔ１のみ、紫外線を出力する発光ダイオード５５ａ，５５ｂを点灯させ、その他の期間には、発光ダイオード５５ａ，５５ｂを消灯させる。図５は、制御部６５が繰返し実行する紫外線発光制御処理を表すフローチャートである。
【００３９】
紫外線発光制御処理を実行すると、制御部６５は、センサ６３からの入力信号に基づき、携帯電話端末装置１が折り畳まれた状態（折り畳み状態）であるか否かを判断する（Ｓ１１０）。ここで、携帯電話端末装置１が折り畳まれた状態ではないと判断すると（Ｓ１１０でＮｏ）、制御部６５は、携帯電話端末装置１が折り畳まれるまで待機する。
【００４０】
携帯電話端末装置１が折り畳まれた状態であると判断すると（Ｓ１１０でＹｅｓ）、制御部６５は、Ｓ１２０に移行し、紫外線出力部５５をオフからオンに切り替えて、発光ダイオード５５ａ，５５ｂに紫外線を出力させる。その後、制御部６５は、紫外線出力部５５をオンの状態に保持した状態で、Ｓ１３０に移行し、Ｓ１２０の処理後、予め定められた所定時間Ｔ１が経過したか否かを判断する。尚、時間Ｔ１としては、紫外線の殺菌効果が発揮される必要十分な時間を、設計者側で任意に設定すればよい。
【００４１】
Ｓ１３０にて、Ｓ１２０の処理後（即ち、紫外線出力部５５をオンにした後）時間Ｔ１が経過していないと判断すると、制御部６５は、Ｓ１３５に移行し、センサ６３からの入力信号に基づいて、携帯電話端末装置１が非折り畳み状態であるか否か判断する。ここで、非折り畳み状態ではない（即ち、折り畳み状態である）と判断すると（Ｓ１３５でＮｏ）、制御部６５は、Ｓ１３０に移行し、時間Ｔ１が経過するか、携帯電話端末装置１の折り畳み状態が解除されて、携帯電話端末装置１が非折り畳み状態になるまで待機する。
【００４２】
時間Ｔ１が経過したと判断するか（Ｓ１３０でＹｅｓ）、携帯電話端末装置１が非折り畳み状態である（即ち、折り畳み状態が解除された）と判断すると（Ｓ１３５でＹｅｓ）、制御部６５は、Ｓ１４０に移行して紫外線出力部５５をオフにし、発光ダイオード５５ａ，５５ｂを消灯させて、発光ダイオード５５ａ，５５ｂからの紫外線の出力を停止する。その後、Ｓ１５０に移行し、Ｓ１３５での処理と同様に、携帯電話端末装置１が非折り畳み状態であるか（携帯電話端末装置１の折り畳み状態が解除されているか）否かを判断する。
【００４３】
具体的に、Ｓ１３５でＹｅｓと判断している場合には、Ｓ１５０において、ただちにＹｅｓと判断し、当該紫外線発光制御処理を終了する。一方、Ｓ１３５でＮｏと判断している場合には、携帯電話端末装置１の折り畳み状態が解除されるまで待機し（Ｓ１５０でＮｏ）、携帯電話端末装置１の折り畳み状態が解除された時点で、Ｙｅｓと判断して、当該紫外線発光制御処理を終了する。そして、再び、当該紫外線発光制御処理を実行する。
【００４４】
図６は、携帯電話端末装置１の開閉状態（非折り畳み状態／折り畳み状態）と、紫外線出力部５５のオン／オフ（紫外線出力のオン／オフ）との関係を示したタイムチャートである。図６（ａ）に示すように、時間Ｔ１より長い時間、携帯電話端末装置１が折り畳まれた場合には、携帯電話端末装置１が折り畳まれてから、時間Ｔ１、紫外線出力部５５がオンにされて発光ダイオード５５ａ，５５ｂから紫外線が出力され、時間Ｔ１を経過すると、紫外線出力部５５がオフにされて発光ダイオード５５ａ，５５ｂからの紫外線出力が停止される。
【００４５】
一方、図６（ｂ）に示すように、時間Ｔ１より短い時間で、携帯電話端末装置１の折り畳み状態が解除された場合には、携帯電話端末装置１が折り畳まれてから非折り畳み状態となるまでの期間のみ、紫外線出力部５５がオンにされて発光ダイオード５５ａ，５５ｂから紫外線が出力され、携帯電話端末装置１の折り畳み状態が解除された時点で、発光ダイオード５５ａ，５５ｂからの紫外線出力が停止される。
【００４６】
以上、本実施例の携帯電話端末装置１について説明したが、この携帯電話端末装置１によれば、紫外線を出力する発光ダイオード５５ａ，５５ｂが装置本体１０及び表示装置３０に設けられ、表示装置３０に設けられた発光ダイオード５５ａ，５５ｂが、各種操作キー５１ａ及びマイクロフォン５３を有する装置本体１０の表面に、紫外線を照射するので、汚れやすい操作キー５１ａ周辺や孔部１５周辺を、効果的に殺菌することができる。
【００４７】
特に、本実施例によれば、折畳時に、操作キー５１ａに対向する表示装置３０のカバー体３１ａを通じて、筐体３１内部から装置本体１０の表面に向けて紫外線を出力するので、装置本体１０への紫外線の照射範囲が広く、カバー体３１ａに対向配置される各操作キー５１ａ周囲を効果的に殺菌することができる。
【００４８】
尚、本実施例では、カバー体３１ａに、発光ダイオード５５ｂを埋め込むと共に、表示装置３０の筐体３１に発光ダイオード５５ａを埋め込み、紫外線を出力するようにしたが、製品のコストダウンを図る場合には、発光ダイオード５５ａを取り付けなくてもよい。
【００４９】
また、本実施例の携帯電話端末装置１によれば、装置本体１０にも発光ダイオード５５ａを備えるので、折畳時に装置本体１０に対向する表示装置３０の表面に紫外線を照射することができ、表示装置３０の表面（カバー体３１ａ表面や孔部３３周辺等）を殺菌することができる。
【００５０】
その他、本実施例では、センサ６３からの入力信号に基づき、携帯電話端末装置１が折り畳まれ、表示装置３０が装置本体１０の表面に対向された状態であるか否かを判断し（Ｓ１１０）、携帯電話端末装置１が折り畳まれると、発光手段としての紫外線出力部５５を動作させ、発光ダイオード５５ａ，５５ｂに紫外線を出力させるので、利用者による明示的な指令を待つことなく、携帯電話端末装置１の未使用時に携帯電話端末装置１を殺菌することができる。
【００５１】
また、本実施例では、携帯電話端末装置１が折り畳まれた状態に移行してから所定時間Ｔ１のみ、紫外線出力部５５を動作させるので、携帯電話端末装置１のバッテリを浪費せずに、必要十分に紫外線を照射することができる。
【００５２】
その他、本実施例では、センサ６３からの入力信号に基づき、携帯電話端末装置１が折り畳まれていない期間には、紫外線出力部５５をオフにし、発光ダイオード５５ａ，５５ｂからの紫外線の出力を禁止するので、携帯電話端末装置１が折り畳まれていない状態で、発光ダイオード５５ａ，５５ｂが紫外線を出力することにより、利用者の目に紫外線が入力し、利用者の目に悪影響を及ぼすのを防止することができる。
【００５３】
また、本実施例によれば、紫外線が照射される表示装置３０の表面及び装置本体１０の表面に、光触媒を塗布しているので、紫外線の照射領域を、効果的に殺菌することができる。その他、本実施例によれば、表示装置３０が装置本体１０の表面に対向された状態で、表示装置３０と装置本体１０の表面との間に形成される空隙を、表示装置３０及び装置本体１０に設けられた突条１３，３５が周囲から包囲するので、表示装置３０又は装置本体１０の表面に照射された紫外線が反射し、空隙から外部に漏洩するのを抑えることができる。
【００５４】
次に、変形例の携帯電話端末装置１００について、図７及び図８を用いて説明する。図７（ａ）は、変形例の携帯電話端末装置１００の電気的構成を表すブロック図であり、図７（ｂ）は、上記実施例の操作キー５１ａと同一構成にされた操作キー１０３ａ、を通じた紫外線の照射方法に関する説明図である。また、図８は、変形例の携帯電話端末装置１００の制御部１０１が実行する操作部発光制御処理を表すフローチャートである。
【００５５】
変形例の携帯電話端末装置１００は、携帯電話端末装置１における操作部５１の構成を変更すると共に、制御部６５に図８に示す操作部発光制御処理を実行させるようにした程度のものであるので、以下では、操作部５１に代わる操作部１０３の構成、及び、制御部６５に代わる制御部１０１が実行する操作部発光制御処理についてのみ説明することにし、携帯電話端末装置１と同一構成にされた携帯電話端末装置１００の各部の説明については省略することにする。
【００５６】
携帯電話端末装置１００が備える操作部１０３は、各種操作キー１０３ａと、操作キー１０３ａを利用者が押下したことを検知し、操作情報を制御部１０１に入力する電気的装置（図示せず）と、操作キー１０３ａをライトアップするための通常光出力部１０５と、紫外線を照射するための紫外線出力部１０７と、を備える。そして、操作キー１０３ａは、操作部５１と同様に、透明な部材にて板状に形成され、装置本体１０の表面（筐体１１の表面）に露出された状態で、筐体１１内に設けられている。
【００５７】
通常光出力部１０５は、紫外線を出力せず可視光を出力する発光ダイオード（ＬＥＤ）１０５ａを、装置本体１０の筐体１１内における操作キー１０３ａの表面より下方（即ち、操作キー１０３ａの表面より底面側）に有し、作動すると、操作キー１０３ａの表面より下方から操作キー１０３ａ内に可視光を入力して、操作キー１０３ａを照明し、暗所において、操作キー１０３ａに形成された文字等を、利用者から視認可能にする。
【００５８】
一方、紫外線出力部１０７は、紫外線を出力する発光ダイオード（ＬＥＤ）１０７ａを、装置本体１０の筐体１１内における操作キー１０３ａの表面より下方（即ち、操作キー１０３ａの表面より底面側）に有し、作動すると、操作キー１０３ａの表面より下方から操作キー１０３ａ内に紫外線を入力して、操作キー１０３ａの表面から紫外線を出力する構成にされている。
【００５９】
このように構成された紫外線出力部１０７は、図７（ｂ）に示すように、携帯電話端末装置１００が折り畳まれている状態で作動して、紫外線を出力し、携帯電話端末装置１００が折り畳まれていない状態では、紫外線出力部１０７に代えて通常光出力部１０５が作動して、可視光を出力し、操作キー１０３ａを照明する。また、この作動制御は、制御部１０１が繰返し実行する操作部発光制御処理にて実現される。
【００６０】
制御部１０１は、操作キー１０３ａの一つとして、装置本体１０の表面に設けられた電源キー（図示せず）が押下され、携帯電話端末装置１００の電源が投入された直後に、操作部発光制御処理を実行し、まずＳ３１０にて、通常光出力部１０５をオンにし、発光ダイオード１０５ａから可視光を出力させて、操作キー１０３ａを照明する。
【００６１】
Ｓ３１０での処理を終えると、制御部１０１は、センサ６３からの入力信号に基づき、当該携帯電話端末装置１００が折り畳まれているか否か判断し（Ｓ３２０）、折り畳まれていないと判断すると（Ｓ３２０Ｎｏ）、Ｓ３２３に移行して、利用者が最後に操作部１０３を操作してから所定時間Ｔ２が経過したか否か判断し、所定時間Ｔ２が経過していると判断すると（Ｓ３２３でＹｅｓ）、通常光出力部１０５をオフにして（Ｓ３２５）、可視光の出力を停止し、Ｓ３２０に移行する。
【００６２】
一方、Ｓ３２３にて、所定時間Ｔ２が経過していないと判断すると（Ｓ３２３でＮｏ）、制御部１０１は、通常光出力部１０５をオンにして（Ｓ３２７）、Ｓ３２０に移行する。尚、Ｓ３２７の処理時において、既に、通常光出力部１０５がオンにされている場合には、Ｓ３２７で何も処理することなく、Ｓ３２０に移行する。
【００６３】
Ｓ３２０で、携帯電話端末装置１００が折り畳まれていると判断すると、制御部１０１は、Ｓ３３０に移行し、通常光出力部１０５をオフにすることにより、発光ダイオード１０５ａによる可視光の出力を停止し、その後、Ｓ３４０に移行して、紫外線出力部１０７をオフからオンに切り替えることにより、発光ダイオード１０７ａによる紫外線の出力を開始する。この処理によって、操作キー１０３ａに対向する表示装置３０の表面（特に、カバー体３１ａ周辺）には、操作キー１０３ａの表面から紫外線が照射される。
【００６４】
Ｓ３４０での処理を終えると、制御部１０１は、Ｓ３５０に移行し、Ｓ３４０の処理後（即ち、紫外線出力部１０７をオンにした後）、予め定められた所定時間Ｔ１が経過したか否かを判断する。そして、時間Ｔ１が経過していないと判断すると、制御部１０１は、Ｓ３５５に移行し、センサ６３からの入力信号に基づいて、携帯電話端末装置１００の折り畳み状態が解除されているか否かを判断する。ここで、折り畳み状態が解除されていない（即ち、携帯電話端末装置１００が折り畳まれた状態のままである）と判断すると（Ｓ３５５でＮｏ）、制御部１０１は、Ｓ３５０に移行し、時間Ｔ１が経過するか、携帯電話端末装置１００の折り畳み状態が解除されるまで待機する。
【００６５】
そして、時間Ｔ１が経過したと判断するか（Ｓ３５０でＹｅｓ）、折り畳み状態が解除されたと判断すると（Ｓ３５５でＹｅｓ）、制御部１０１は、Ｓ３６０に移行し、紫外線出力部１０７をオフにして、発光ダイオード１０７ａを用いた紫外線の出力を停止する。その後、Ｓ３７０に移行し、Ｓ３５５での処理と同様に、携帯電話端末装置１００の折り畳み状態が解除されているか否かを判断する。
【００６６】
Ｓ３５５でＹｅｓと判断している場合、制御部１０１は、このＳ３７０において、ただちにＹｅｓと判断し、当該操作部発光制御処理を終了する。一方、Ｓ３５５でＮｏと判断している場合には、携帯電話端末装置１００の折り畳み状態が解除されるまで待機し（Ｓ３７０でＮｏ）、携帯電話端末装置１００の折り畳み状態が解除された時点で、Ｙｅｓと判断して、当該操作部発光制御処理を終了する。そして、再び操作部発光制御処理を実行し、Ｓ３１０にて通常光出力部１０５をオンにする。
【００６７】
以上、変形例の携帯電話端末装置１００について説明したが、この携帯電話端末装置１００によれば、携帯電話端末装置１の効果に加えて、発光手段としての紫外線出力部１０７が、携帯電話端末装置１００の折畳時に所定時間Ｔ１、操作キー１０３ａに紫外線を入力して、操作キー１０３ａの表面から、紫外線を表示装置３０の表面に照射するので、表示装置３０の表面を効果的に殺菌することができ、又、菌が繁殖しやすい操作部１０３も殺菌することができる。従って、変形例の携帯電話端末装置１００によれば、一層、携帯電話端末装置１００の殺菌を効果的に行うことができる。
【００６８】
尚、本発明の状態判断手段は、センサ６３及びＳ１１０，Ｓ１３５，Ｓ３２０，Ｓ３５５の処理にて実現され、制御手段は、Ｓ１１０又はＳ３２０でＹｅｓと判断すると、紫外線出力部５５，１０７をオンにし、所定時間Ｔ１経過すると、Ｓ１３０又はＳ３５０でＹｅｓと判断して、紫外線出力部５５，１０７をオフにする動作にて実現されている。
【００６９】
また、動作禁止手段は、Ｓ１３５又はＳ３５５でＹｅｓと判断した場合に、紫外線出力部５５，１０７をオフにする動作にて実現されている。具体的に、本実施例では、携帯電話端末装置１，１００が、折り畳み状態になってから時間Ｔ１のみ紫外線出力部５５，１０７をオンにする構成にされているので、Ｓ１３５又はＳ３５５でＹｅｓと判断した場合に、紫外線出力部５５，１０７をオフにすれば、携帯電話端末装置１，１００が折り畳まれていない期間には、紫外線出力部５５，１０７が継続的にオフにされ、紫外線が出力されないことになる。また、本発明の包囲部は、本実施例の突条１３，３５に相当する。
【００７０】
また、本発明の携帯電話端末装置は、上記実施例に限定されるものではなく、種々の態様を採ることができる。
上記実施例では、紫外線出力部５５，１０７のオン／オフを、携帯電話端末装置１，１００の開閉に連動して実行するようにしたが、例えば、紫外線出力部５５，１０７は、利用者の指令に従って、オン／オフされてもよい。
【００７１】
但し、携帯電話端末装置１，１００が折り畳まれていない状態で、紫外線出力部５５，１０７をオンすると、利用者の目を害する可能性があるので、携帯電話端末装置１，１００が折り畳まれていない状態では、紫外線出力部５５，１０７をオンしないように、携帯電話端末装置１，１００を構成するのが好ましい。
【００７２】
尚、携帯電話端末装置１，１００が折り畳まれている状態で、利用者の指令入力を受け付けるためには、携帯電話端末装置１，１００の側部（図１（ｂ）で示されている部位等）に操作キー（所謂サイドキー）を設け、サイドキーから入力される操作情報に従って、紫外線出力部５５，１０７をオン／オフするように、携帯電話端末装置１，１００を構成すればよい。その他、操作キー１０３ａの表面から紫外線を出力するに際しては、筐体１１内部から操作キー１０３ａを通じて紫外線が外部に出力されればよいので、操作キー１０３ａは、半透明な構成にされても構わない。
【００７３】
その他、上記実施例では、光触媒を、表示装置３０及び装置本体１０の表面全域に塗布すると記述したが、光触媒は、殺菌を重点的に行いたい部位にのみに限定して塗布されてもよく、例えば、カバー体３１ａの表面のみに塗布されてもよいし、操作キー５１ａ，１０３ａの表面のみに塗布されてもよい。
【図面の簡単な説明】
【００７４】
【図１】本発明が適用された携帯電話端末装置１の構成を表す説明図である。
【図２】装置本体１０及び表示装置３０の筐体１１，３１に埋め込まれた発光ダイオード５５ａの態様を示した説明図である。
【図３】携帯電話端末装置１におけるディスプレイ５７の周囲の構成を表す斜視図である。
【図４】携帯電話端末装置１の電気的構成を表すブロック図である。
【図５】制御部６５が繰返し実行する紫外線発光制御処理を表すフローチャートである。
【図６】携帯電話端末装置１の開閉状態と、紫外線出力部５５のオン／オフとの関係を示したタイムチャートである。
【図７】変形例の携帯電話端末装置１００の電気的構成を表すブロック図（ａ）及び操作キー１０３ａを通じた紫外線の照射方法に関する説明図（ｂ）である。
【図８】制御部１０１が実行する操作部発光制御処理を表すフローチャートである。
【符号の説明】
【００７５】
１，１００…携帯電話端末装置、１０…装置本体、１１，３１…筐体、１３，３５…突条、１５，３３…孔部、３０…表示装置、３１ａ…カバー体、５１，１０３…操作部、５１ａ，１０３ａ…操作キー、５３…マイクロフォン、５５，１０７…紫外線出力部、５５ａ，５５ｂ，１０５ａ，１０７ａ…発光ダイオード、５７…ディスプレイ、５９…スピーカ、６１…通信部、６３…センサ、６５，１０１…制御部、１０５…通常光出力部
【図１】
2006157381.tif 000003
【図２】
2006157381.tif 000004
【図３】
2006157381.tif 000005
【図４】
2006157381.tif 000006
【図５】
2006157381.tif 000007
【図６】
2006157381.tif 000008
【図７】
2006157381.tif 000009
【図８】
2006157381.tif 000010